(57)【要約】【課題】グリップ部材を使用することにより、誰にでもベーゴマ本体に紐体を容易に巻きつけることができるベーゴマ玩具を提供すること。【解決手段】ベーゴマ玩具をベーゴマ本体１と、該ベーゴマ本体１を支持するグリップ部材２とで構成し、上記グリップ部材２は上記ベーゴマ本体１を支持する支持部材４１と、該支持部材４１で支持した状態でベーゴマ本体１に巻き回した紐体３の余長を係合させる係合部５２、５５とを備え、上記支持部材４１は上記ベーゴマ玩具１を固定する固定手段６４を備え、該固定手段６４は上記ベーゴマ本体１への係脱を操作可能にし、上記ベーゴマ本体１には上記支持部材４１を係合させる係合口２０と、該係合口２０の内部に上記固定手段６４に係合する係合部３６を設けた。【選択図】図１
2007209559.tif 000002
【特許請求の範囲】
【請求項１】
以下の要件を備えることを特徴とするベーゴマ玩具。
（イ）上記ベーゴマ玩具はベーゴマ本体と、該ベーゴマ本体を支持するグリップ部材とから構成され、一方の手で上記グリップ部材を握り、他方の手で上記ベーゴマ本体に紐体を巻きつけられること
（ロ）上記グリップ部材は上記ベーゴマ本体を支持する支持部材と、該支持部材で支持した状態でベーゴマ本体に回転を付与するためにベーゴマ本体に巻き回した紐体の余長を係合させる係合部とを備えること
（ハ）上記支持部材は上記ベーゴマ玩具を固定する固定手段を備え、該固定手段は上記ベーゴマ本体への係脱が操作可能であること
（ニ）上記ベーゴマ本体には上記支持部材が係合する係合口と、該係合口の内部に上記固定手段に係合する係合部を設けたこと
【請求項２】
以下の要件を備えることを特徴とする、請求項１記載のベーゴマ玩具。
（イ）上記ベーゴマ本体は、略逆円錐台状に形成されるとともに底面から回転軸が突出して形成され、該回転軸の周面には突縁が周設されていること
（ロ）上記ベーゴマ本体の側面には、コマ玩具に回転力を付与するために用いる紐体の巻きはじめを係合させるための切欠きが少なくとも1つ形成されていること
（ハ）上記ベーゴマ本体の底部には、上記切欠きから上記回転軸部の側面にかけて、上記紐体をガイドするガイド溝が構成されていること
【請求項３】
前記ベーゴマ本体は、錘部材を含む複数の部材を層状に重ねて構成される、請求項１及び２記載のベーゴマ玩具。
【発明の詳細な説明】
【技術分野】
【０００１】
本発明は、ベーゴマ玩具、詳しくはベーゴマ本体と、このベーゴマ本体を支持するグリップ部材とからなり、一方の手でグリップ部材を握り、他方の手でグリップ部材で支持したベーゴマ本体に紐体を巻きつけられるようにしたベーゴマ玩具に関するものである。
【背景技術】
【０００２】
従来、コマを回して他のコマとぶつけ合って遊ぶコマ回しが昔から楽しまれており、その中でもベーゴマが子供たちに受け入れられていた。このベーゴマは紐を巻きまわし、巻き回した紐を一気に巻き戻すことにより、ベーゴマに回転を付与させるものであったが、紐の巻き回しが難しいため、新しいコマ玩具が本出願人から提案され実用に供されている
（例えば、特許文献１）。
【０００３】
このコマ玩具は、シュータに差し込んだラック部材を引き操作することによってコマ玩具を回転させるようにしたもので、コマ玩具に紐を巻きつける必要がなく、誰でも簡単にコマ玩具を回転させることはできるものであった。
【特許文献１】登録実用新案第３０３７３１８号公報（「００２４」、図１１参照）
【発明の開示】
【発明が解決しようとする課題】
【０００４】
本発明が解決しようとする問題点は、上述のコマ玩具は、コマ玩具を落とす場所の上方にシュータを保持し、ラック部材を引き操作するだけで目的の場所にコマ玩具を落とすことができるが、従来のコマ玩具に紐を巻きつけコマ玩具を目的の場所に放り出すようにして回転させるための技術を必要としないもので、遊戯者の経験や技術が遊びの優劣に反映されない点であった。
【０００５】
本発明は、上記問題点を解決し、グリップ部材を使用することにより、誰にでもベーゴマ本体に紐体を容易に巻きつけることができ、従来のベーゴマのように巻きつけた紐の巻き戻しでベーゴマ本体を回転させるとともに、ベーゴマ本体の落とし所や回転の強さを競うことができ、シュータを使ってコマ玩具を回転させるコマ玩具では味わうことのできないベーゴマ本来の遊びができるベーゴマ玩具を提供することを課題とする。
【課題を解決するための手段】
【０００６】
前記課題を解決するために本発明に係るベーゴマ玩具は、以下の要件を備えることを特徴とする。
（イ）上記ベーゴマ玩具はベーゴマ本体と、該ベーゴマ本体を支持するグリップ部材とから構成され、一方の手で上記グリップ部材を握り、他方の手で上記ベーゴマ本体に紐体を巻きつけられること
（ロ）上記グリップ部材は上記ベーゴマ本体を支持する支持部材と、該支持部材で支持した状態でベーゴマ本体に回転を付与するためにベーゴマ本体に巻き回した紐体の余長を係合させる係合部とを備えること
（ハ）上記支持部材は上記ベーゴマ玩具を固定する固定手段を備え、該固定手段は上記ベーゴマ本体への係脱が操作可能であること
（ニ）上記ベーゴマ本体には上記支持部材が係合する係合口と、該係合口の内部に上記固定手段に係合する係合部を設けたこと
なお、前記ベーゴマ玩具は、以下の要件を備えるようにしてもよい。
（イ）上記ベーゴマ本体は、略逆円錐台状に形成されるとともに底面から回転軸が突出して形成され、該回転軸の周面には突縁が周設されていること
（ロ）上記ベーゴマ本体の側面には、コマ玩具に回転力を付与するために用いる紐体の巻きはじめを係合させるための切欠きが少なくとも1つ形成されていること
（ハ）上記ベーゴマ本体の底部には、上記切欠きから上記回転軸部の側面にかけて、上記紐体をガイドするガイド溝が構成されていること
さらに、前記ベーゴマ本体は、錘部材を含む複数の部材を層状に重ねて構成されるようにしてもよい。
【発明の効果】
【０００７】
請求項１の発明によれば、ベーゴマ本体にグリップ部の支持部材を係合させる係合口を設け、この係合口に支持部材を差し込むとともに固定手段でベーゴマ本体をグリップ部材に固定することができ、一方の手で上記グリップ部材を握り、他方の手で上記ベーゴマ本体に紐体を巻きつけられるので、ベーゴマ本体を摘んで紐を巻き回すに済むので、誰にでも簡単にひもの巻き回しができるベーゴマ玩具を実現することができる。
【０００８】
請求項２の発明によれば、紐の巻き始めを切欠きに係合させ、この切欠きから回転軸に向けて形成されたガイド溝にそって回転軸まで案内し、回転軸から巻き始めるので、ベーゴマ本体に紐が巻き付けやすくなる。
【０００９】
請求項３の発明によれば、玩具本体を錘部材を含む複数の部材を層状に重ねて構成したので、各部材に色や形状などの特性を持たせた場合は、部材の組み合わせでオリジナリティのあるベーゴマ玩具を構築することができる。
【発明を実施するための最良の形態】
【００１０】
図１は本発明に係るベーゴマ玩具Ａの構成を示す斜視図で、このベーゴマ玩具Ａはベーゴマ本体１と、このベーゴマ本体１を支持するグリップ部材２と、ベーゴマ本体１に回転を付与する紐体３とから構成されている。
【００１１】
ベーゴマ本体１は、図２に示すように、ベース部材５と、ベース部材５の底面から下方に突出させる回転軸部６と、ベース部材５の内部に収容される錘部材７と、該錘部材７を収容した状態で、ベース部材５の上に配置される天板８とを層状に組み付けたもので、天板８の上にはシール９が貼り付けるようにしたものである。
【００１２】
回転軸部６は逆円錐状の基部１０の上面に基部１０の径よりもやや小さな径の嵌合筒１１が膨出して形成され、中央にはネジ孔１２が形成されている。そして、基部１０の外周部は玩具玩具本体１に巻きつける紐体３の巻き始めが回転軸部６から下方にずれないようにするための張り出し部１３を構成している。
【００１３】
なお、上記紐体３の回転軸部６への最初の巻きつけは張り出し部１３の上からになるが、回転軸部６を太くしたことにより、巻き距離を短縮（巻き回数の減少）することができ、紐体３を巻きやすくした。
【００１４】
ベース部材５は、逆円錐台状で上面が開口し、内部に錘部材７を収容できるように擂鉢状に形成されている。そして、底面には上記回転軸部６の嵌合筒１１を嵌め合わせる嵌合穴１５が形成され、上面１６には環状に壁１７が形成され、この壁１７は一部が切り欠かれ、後述するグリップ部材２の支持部６０を差し込む為の係合口２０を形成している。
【００１５】
この壁１７の高さは紐体３の太さよりやや低く形成され、上記天板８を重ねた際、ベース部材５の上面１６と天板８の下面とで紐体３を挟んで固定する固定溝１８を構成するようになっている。
【００１６】
なお、壁１７の中央部分は上方に少し膨出し、後述する天板８を重ねたとき、天板８とベース部材５との取り付け位置が正しくなるように天板８に形成されている係合凹部３１に係合する係合凸部１９が形成されている。
【００１７】
そして、係合口２０の中央には切欠き２１が形成され、ベース部材５の周面には紐体３を上記切欠き２１から回転軸部６に案内するガイド溝２２が、この切欠き２１に連続して形成されている（図３（ａ）参照）。
【００１８】
また、切欠き２１に直交する位置の周面には、巻き回した紐体３を固定溝１７に導くガイド部２３が切りかかれて形成されている（図３（ｂ）参照）。
【００１９】
錘部材７は、鉛や鉄などの金属で、上記ベース部材５の内側に収容できるように、ほぼ相似して形成され、上面２５には円弧状の壁２６が対向して形成され、この２つの壁２６、２６の空間に、後述するグリップ部材２の支持部６０が差し込めるようになっている。
【００２０】
そして底面には上述の回転軸部６の嵌合筒１１に嵌合する嵌合凸部２７が下方に膨出し、中央には縦にネジ２９を通すための貫通孔２８が上面から下面に貫通して形成されている。
【００２１】
この錘部材７をベース部材５の内側に収容したときには、錘部材７の上面２５と、ベース部材５の上面１６とが面一なり、錘部材７の壁２６の上面と、ベース部材５の壁１７の上面とが面一なり、嵌合凸部２７が回転軸部６の嵌合筒１１に嵌めあわされ、回転軸部６とベース部材５と錘部材７とが一体になるように形成されている。
【００２２】
天板８は、円板状に形成され、中央にはネジ２９を差し込む孔３０が形成され、裏面には、図４に示すように、ベース部材５に形成された係合凸部１９に係合する係合凹部３１が形成され、係合凹部３１に直交する方向の周縁には紐体３を咬みこませる切欠き３２が形成され、この切欠き３２は天板８をベース部材５と連結したときにはベース部材５の切欠き２１と対応する位置に形成されている。
【００２３】
そして、中央には支柱３５が突出し、この支柱３５の中央にはネジ２９を通す貫通孔３０が形成されている。さらに、支柱３５の両側には後述するグリップ部材２の固定手段６４に係合し、グリップ部材２にベーゴマ本体１が固定がされるための係合軸３６が形成されている。
【００２４】
グリップ部材２は、片手（例えば、右手）で握ることができるように右側面は波状に湾曲して薬指、小指を掛ける指掛り４３が形成され、指掛り４３の前後には紐体３の余長を係合させる係合部５２、５５が形成されている。このグリップ部材２は、図５の平面側分解斜視図に示すように、上グリップ部材４０と、ベーゴマ本体１を支持する支持部材４１と、下グリップ部材４２とから構成され、上グリップ部材４０及び下グリップ部材４２の右側部と後部とにはそれぞれ第１と第２との２つの張り出し部４４、４５と張り出し部４６、４７とが形成され、前面には支持部材４１の前部を突出させる開口部４８が形成されている。
【００２５】
そして上グリップ部材４０の内側面には、図６に示すように、開口部４８の後方に、後述する支持部材４１の側面に形成された係合凹部６２に係合し、支持部材４１を両側からスタビライズする２本の柱で構成されたスタビライザ５０が形成されている。
【００２６】
また、第１の張り出し部４４は側壁５１よりも低く形成され、上グリップ部材４０と下グリップ部材４２とを結合したとき下グリップ部材４２の第１の張り出し部４６との間にクリアランスができ、第１の張り出し部４４と第１の張り出し部４６とで紐体３の余長を係合させる係合部５２を構成するようになっている。
【００２７】
一方、第２の張り出し部４５は、側壁５１の略中央に形成され、上面には楔状に突起５３が形成され、上グリップ部材４０と下グリップ部材４２とを結合したとき下グリップ部材４２の第２の張り出し部４７との間にクリアランスができ、第２の張り出し部４５と第２の張り出し部４７とで紐体３の余長を係合させる係合部５５を構成するとともに、突起５３が紐体３に食い込んで紐体３を係止するようになっている。
【００２８】
下グリップ部材４２は、図５に示すように、開口部４８の後方に後述する支持部材４１の底面に突出した操作ボタン６１を突出させるとともに、前後方向のスライドをガイドするガイド孔５６が形成され、第１の張り出し部４６と、第２の張り出し部４７とは側壁５７と面一で突出して形成され、第２の張り出し部４７の上面には紐体３に食い込んで紐体３を係止する楔状の突起５８が形成されている。
【００２９】
支持部材４１は前部にベーゴマ本体１を支持する支持部６０が形成され、略中央の下面には上記下グリップ部材４２に形成されたガイド穴５６から下方に突出する操作ボタン６１が突出して形成され、両側面には上述の上グリップ部材４０に形成されたスタビライザ５０に係脱する係合凹部６２が形成されている。上記支持部６０は先端から前後方向に天板８に形成された係合軸３６の径よりもやや狭いスリット６３が形成され、このスリット６３には天板８に形成された係合軸３６に係合し、支持部材４１でベーゴマ本体１をグリップ部材２に固定する固定手段６４である固定溝が形成されている。
【００３０】
なお、支持部６０で支持したベーゴマ本体１を発射する際、ベーゴマ本体１が支持部６０から外れ易いように支持部６０の先端部６５は外側の角が円弧状に切りかかれている。
【００３１】
上記支持部材４１は、図７（ａ）の下グリップ部材４２を外した状態の底面図に示すように、支持部６０がグリップ部材２の先端から前方に突出しているので、図７（ｂ）に示すように、支持部６０の先端をベーゴマ本体１に差し込むとベーゴマ本体１は開口部２０に支持部６０が差し込まれた状態でグリップ部材２に支持されているが、グリップ部材２を振り操作すれば容易に支持部６０から離脱する状態である。この状態で、操作ボタン６１を前方にスライド操作し、支持部６０を前方に押し出すと、支持部６０のスリット６３が天板８に形成された係合軸３６に係合し、さらに押し出すと固定手段６４が係合軸３６に係合し、ベーゴマ本体１はグリップ部材２に固定された状態で支持することができる（図７（ｃ）参照）。
【００３２】
次に、上記グリップ部材２を使用してベーゴマ本体１に紐体３を巻きつける操作を説明する。この巻き方には２種類の巻き方があるので、以下順次説明する。なお、上記紐体３の始端には結び目で構成されたコブ７０が1つ設けられ、他端には指を掛ける指掛け７１が取り付けられている。
【００３３】
先ず、第１の巻き方は、図８（ａ）に示すように、支持部６０のスリット６３に紐体３の先端をセットする。次に、図８（ｂ）に示すように、ベーゴマ本体１を支持部６０に差し込むと、ベーゴマ本体１の切欠き部３２に紐体３が咬みこむので、コブ７０が天板８の上面に圧接するまで紐体３を引く。次に、図８（ｃ）に示すように、操作ボタン６１を前方に押し操作して、固定手段６４を係合軸３６に係合させ、ベーゴマ本体１をグリップ部材２に固定する。ベーゴマ本体１を固定したら、図８（ｄ）に示すように、紐体３を反時計方向に巻き回し、図８（ｅ）に示すように、紐体３の余長を係合部５２に係合させ、さらに係合部５５に係合させる。この状態では係合部５５内に突出した突起５３、突起５８で紐体３が固定され、ベーゴマ本体１に巻き回した紐体３は緩むようなことはない。
【００３４】
上述のように、ベーゴマ本体１はグリップ部材２に支持されているので、ベーゴマ本体１に紐体３を巻きつける際、手でベーゴマ本体１を掴んで巻き必要がなく容易に巻き操作ができる。
【００３５】
ベーゴマ本体１を回転させるときは、図８（ｆ）に示すように、グリップ部２を握りながら、人差し指でベーゴマ本体１をグリップ部材２押し付けた状態で、操作ボタン６１を後方にスライド操作し、支持部材４１を後退させて支持部６０の固定手段６４とベーゴマ本体１の係合軸３６との係合を外した後、図８（ｇ）に示すように、人差し指をベーゴマ本体１から離し、離した人差し指を張り出し部４４に掛け、薬指、小指を指掛り４３に掛けてグリップ部材２を手の平と薬指、小指とでしっかり握って、矢印ａ方向に強く振り出せば、紐体３は係合部５５内の突起５３、５８に押さえられているのでベーゴマ本体１は支持部６０（グリップ部材２）から離脱し、紐体３が巻き戻りながら離れるのでベーゴマ本体１に回転を付与することができる。
【００３６】
次に、図９（ａ）〜（ｇ）に基づいて、第２の巻き方を説明する。
【００３７】
先ず、ベーゴマ本体１をグリップ部材２の支持部６０に支持させ、図９（ａ）に示すように、操作ボタン６１を前方にスライド操作して支持部６０の固定手段６４をベーゴマ本体１の係合軸３６に係合させ、ベーゴマ本体１をグリップ部材２に固定する。
【００３８】
次に、紐体３のコブ７０が天板８の上に位置するようにして始端を天板８の切欠き３２に噛み込ませ、外れないようにコブ７０を人差し指で押さえながら、紐体２を切欠き３２からガイド溝２２に沿って回転軸部６の側面まで案内し（図９（ｂ）参照）、図９（ｃ）に示すように、回転軸部６から巻き始める。この時、回転軸部６には張り出し部１３が形成されているので紐体２は回転軸部６から外れることなく確実に回転軸部６に巻きつけることができる。
【００３９】
回転軸部６に巻きつけた後、さらにベース部材５の底面に紐体３を巻き回し、底面の外周部まで巻いたらガイド部２３からベース部材５の上面に引き出し、図９（ｄ）に示すように、紐体３を固定溝１８に咬み込ませた後、コブ７０の下を通過させて、紐体３の巻き始めと交差させた後にグリップ部材２の係合部５２に係合させる。
【００４０】
紐体３の余長はさらに係合部５５に係合させる（図９（ｅ）参照）。この状態では係合部５５内に突出した突起５３、突起５８で紐体３が固定され、ベーゴマ本体１に巻き回した紐体３は緩むようなことはない。
【００４１】
上述のように、ベーゴマ本体１はグリップ部材２に支持されているので、ベーゴマ本体１に紐体３を巻きつける際、手でベーゴマ本体１を掴んで巻き必要がなく容易に巻き操作ができる。
【００４２】
ベーゴマ本体１を回転させるときは、図９（ｆ）に示すように、グリップ部２を握りながら、人差し指でベーゴマ本体１をグリップ部材２押し付けた状態で、操作ボタン６１を後方にスライド操作し、支持部材４１を後退させて支持部６０の固定手段６４とベーゴマ本体１の係合軸３６との係合を外した後、図９（ｇ）に示すように、人差し指をベーゴマ本体１から離し、離した人差し指を張り出し部４４に掛け、薬指、小指を指掛り４３に掛けてグリップ部材２を手の平と薬指、小指とでしっかり握って、矢印ａ方向に強く振り出してシュートすれば、紐体３は係合部５５内の突起５３、５８に押さえられているのでベーゴマ本体１は支持部６０（グリップ部材２）から離脱し、紐体３が巻き戻りながら離れるのでベーゴマ本体１に回転を付与することができる。
【００４３】
上述の第２の巻き方では、ベーゴマ本体１に巻きつけた紐体３は巻き始めと巻き終わりとが、図９（ｄ）に示すように、交差しているので、第１の巻き方よりもシュート時にかえしが利いて、コントロール性を向上させることができるので、ゲーム盤上の目的の場所により確実にシュートさせることができる。
【図面の簡単な説明】
【００４４】
【図１】本発明に係るベーゴマ玩具の構成を示す斜視図
【図２】ベーゴマ本体の構成を説明する分解斜視図
【図３】（ａ）（ｂ）は上記ベーゴマ玩具の正面図及び側面図
【図４】上記ベーゴマ玩具の天板の底面側斜視図
【図５】グリップ部材の分解斜視図
【図６】上グリップ部材と支持部材の底面側斜視図
【図７】（ａ）〜（ｃ）は、ベーゴマ本体とグリップ部材との関係を説明する下グリップ部材を外した状態の底面図
【図８】（ａ）〜（ｇ）は、グリップ部材を使用して紐体をベーゴマ本体に巻き付ける巻き付け操作を説明する斜視図
【図９】（ａ）〜（ｇ）は、グリップ部材を使用して紐体をベーゴマ本体に巻き付ける巻き付け操作の他の例を説明する斜視図
【符号の説明】
【００４５】
１    ベーゴマ本体
２    グリップ部材
３    紐体
２０    係合口
３６    係合部
４１    支持部材
５２    係合部
５３    係合部
６４    固定手段
【図１】
2007209559.tif 000003
【図２】
2007209559.tif 000004
【図３】
2007209559.tif 000005
【図４】
2007209559.tif 000006
【図５】
2007209559.tif 000007
【図６】
2007209559.tif 000008
【図７】
2007209559.tif 000009
【図８】
2007209559.tif 000010
【図９】
2007209559.tif 000011